(57)【要約】【課題】  サーバに負荷をかけずにスマートフォン等の端末に各種情報を表示する又は、各種処理を実行すること。【解決手段】  端末は、受像機／録画再生機から透かし入り放送音声を受信する（Ｓ２０１）。端末は、放送音声から透かしデータを検出し、透かしデータに含まれるコンテンツＩＤ及び放送時刻と放送音声の検出時刻を端末内にある透かしデータテーブルに記憶する（Ｓ２０３）。端末は、透かしデータテーブルを参照し、検出時刻と放送時刻との差分が予め定められた値の場合（Ｓ２０５）、リンクテーブルでコンテンツＩＤに対応して指定された参照データ（ＵＲＬ又はコマンド）のページを表示又は参照データにより特定された処理を実行する（Ｓ２０７、Ｓ２０９）。【選択図】  図１０
2014157472.tif 000002
【特許請求の範囲】
【請求項１】
コンテンツ識別情報に対する参照データを含むリンクデータを記憶する蓄積部と、
情報を表示又は処理を実行する処理部と、
を備え、
前記処理部は、
コンテンツの放送時刻又は透かしデータの埋込時刻とコンテンツ識別情報を含む透かしデータが埋め込まれた放送信号又は録音信号を再生した音声を入力し、前記透かしデータを検出し、
前記透かしデータに含まれる放送時刻又は埋込時刻と、内部時計により求めた放送信号を受信した時刻又は前記透かしデータを検出した時刻である検出時刻とを比較し、
放送時刻又は埋込時刻と検出時刻との差分が予め設定された第１の閾値以下である場合、前記蓄積部を参照し、コンテンツ識別情報に基づき参照データを求め、該参照データに従い情報を表示する又は該参照データに従い特定された特定処理をする第１の処理を実行し、
一方、放送時刻又は埋込時刻と検出時刻との差分が前記第１の閾値を超える場合、表示及び特定処理をしない、又は、前記第１の処理と異なる表示又は特定処理をする第２の処理を実行すること
を特徴とする情報表示装置。
【請求項２】
請求項１に記載の情報表示装置であって、
前記処理部は、取得要求により、又は、予め設定されたタイミング又は期間又は時刻で、コンテンツ識別情報に対する参照データを含むリンクデータを記憶したリンクサーバから、前記リンクデータを受信し、前記リンクデータを前記蓄積部に記憶する
ことを特徴とする情報表示装置。
【請求項３】
請求項１又は２に記載の情報表示装置において、
前記処理部は、前記第２の処理を実行すると判断した場合、表示又は特定処理を実行しないで、前記透かしデータを検出する処理に戻ることを特徴とする情報表示装置。
【請求項４】
請求項１又は２に記載の情報表示装置において、
前記処理部は、前記第２の処理を実行すると判断した場合、コンテンツ識別情報に基づき又は任意に予め定められた処理を実行すること、又は、前記蓄積部を参照してコンテンツ識別情報に基づき求めた参照データに従い特定処理を実行することを特徴とする情報表示装置。
【請求項５】
請求項１乃至４のいずれかに記載の情報表示装置において、
前記処理部は、前記第１の処理を実行すると判断した場合、コンテンツ識別情報に基づき又は任意に予め定められた処理を実行すること、又は、前記蓄積部を参照してコンテンツ識別情報に基づき求めた参照データに従い特定処理を実行することを特徴とする情報表示装置。
【請求項６】
請求項１乃至５のいずれかに記載の情報表示装置において、
前記第１の処理は、リアルタイムの視聴形態に対する処理であり、
前記第２の処理は、タイムシフトの視聴形態に対する処理である
ことを特徴とする情報表示装置。
【請求項７】
請求項１乃至６のいずれかに記載の情報表示装置において、
前記参照データは、ＵＲＬ、コマンド、アプリケーション識別情報のいずれか又は複数であることを特徴とする情報表示装置。
【請求項８】
請求項１乃至７のいずれかに記載の情報表示装置において、
前記参照データがＵＲＬの場合、
前記処理部は、自動で又はユーザの許可により、該ＵＲＬで指定された前記ウェブサイトに接続し、前記ウェブサイトからウェブページを受信して表示することを特徴とする情報表示装置。
【請求項９】
請求項１乃至８のいずれかに記載の情報表示装置において、
前記参照データがコマンド又はアプリケーション識別情報の場合、
前記処理部は、自動で又はユーザの許可により、該コマンド又はアプリケーション識別情報に従い特定処理を実行することを特徴とする情報表示装置。
【請求項１０】
請求項４又は５に記載の情報表示装置において、
前記処理部は、コンテンツ識別情報に基づき又は任意に予め設定された、
端末で保持するポイント値の変更、又は、
端末の処理での状態・パラメータの変更、又は、
情報の表示、又は、
サーバへのアクセス又はアプリケーションの起動、
を実行することを特徴とする情報表示装置。
【請求項１１】
請求項１乃至１０のいずれかに記載の情報表示装置において、
前記参照データにより情報を表示すること又は特定処理を実行することがなされた場合、前記処理部は、ひとつ又は複数のコンテンツ識別情報及び／又は参照データをログとして、前記蓄積部に記憶し、予め設定されたタイミング又は期間又は時刻で、ログ収集サーバに前記ログを送信し、前記ログ収集サーバの記憶部に前記ログを記憶させ、表示部に表示させること又は出力部に出力させることを特徴とする情報表示装置。
【請求項１２】
請求項１乃至１１のいずれかに記載の情報表示装置において、
前記処理部は、コンテンツ識別情報及び／又は参照データを、表示部に表示させること又は出力部に出力させることを特徴とする情報表示装置。
【請求項１３】
請求項１乃至１２のいずれかに記載の情報表示装置において、
前記処理部は、前記放送信号又は前記録音信号を、受像機、受信機、録画再生機、又は、再生機から受信することを特徴とする情報表示装置。
【請求項１４】
請求項１乃至１３のいずれかに記載の情報表示装置において、
前記リンクデータは、コンテンツ識別情報及び参照データに対応して、さらに実行される処理を識別する処理識別情報を含み、
前記処理部は、前記リンクデータを参照し、コンテンツ識別情報及び処理識別情報に従い、参照データを求めることを特徴とする情報表示装置。
【請求項１５】
請求項１乃至１４のいずれかに記載の情報表示装置において、
放送時刻又は埋込時刻と検出時刻との差分が予め設定された第１の閾値を超える場合、
前記処理部は、さらに、
放送時刻又は埋込時刻と検出時刻との差分が前記第１の閾値より大きく予め設定された第２の閾値以下である場合、前記第２の処理を実行し、
一方、放送時刻又は埋込時刻と検出時刻との差分が前記第２の閾値を超える場合、表示及び特定処理をしない、又は、該参照データに従い前記第１の処理及び前記第２の処理と異なる表示又は特定処理をする第３の処理を実行すること
を特徴とする情報表示装置。
【請求項１６】
請求項１乃至１５のいずれかに記載の情報表示装置において、
前記閾値は、プログラム更新又はマニュアルにより、変更されることを特徴とする情報表示装置。
【請求項１７】
情報表示システムであって、
コンテンツ識別情報に対する参照データを含むリンクデータを予め記憶したリンクサーバ記憶部を有するリンクサーバと、
コンテンツ識別情報に対する参照データを含むリンクデータを記憶する蓄積部と、情報を表示又は処理を実行する処理部とを有する端末と
を備え、
前記リンクサーバは、
前記端末からの要求により、又は、予め設定されたタイミング又は期間又は時刻で、前記端末に、前記リンクサーバ記憶部に記憶されたリンクデータを送信し、
前記端末の前記処理部は、前記リンクサーバから受信した前記リンクデータを、前記蓄積部に記憶し、
前記端末の前記処理部は、
コンテンツの放送時刻又は透かしデータの埋込時刻とコンテンツ識別情報を含む透かしデータが埋め込まれた放送信号又は録音信号を再生した音声を入力し、前記透かしデータを検出し、
前記透かしデータに含まれる放送時刻又は埋込時刻と、内部時計により求めた放送信号を受信した時刻又は前記透かしデータを検出した時刻である検出時刻とを比較し、
放送時刻又は埋込時刻と検出時刻との差分が予め設定された第１の閾値以下である場合、前記蓄積部を参照し、コンテンツ識別情報に基づき参照データを求め、該参照データに従い情報を表示する又は該参照データに従い特定された特定処理をする第１の処理を実行し、
一方、放送時刻又は埋込時刻と検出時刻との差分が前記第１の閾値を超える場合、表示及び特定処理をしない、又は、前記第１の処理と異なる表示又は特定処理をする第２の処理を実行すること
を特徴とする情報表示システム。
【請求項１８】
請求項１７に記載の情報表示システムにおいて、
放送信号に、放送時刻とコンテンツ識別情報を含む透かしデータを埋め込み、該放送信号を放送する放送局と、
前記放送局からの放送信号を受信して、音声を再生する受信機と、
をさらに備えた情報表示システム。
【請求項１９】
請求項１７に記載の情報表示システムにおいて、
録音信号に、埋込時刻とコンテンツ識別情報を含む透かしデータを埋め込み、該録音信号を再生する再生機と、
前記再生機からの録音信号を受信して、音声を再生する受信機と、
をさらに備えた情報表示システム。
【請求項２０】
情報表示装置における情報表示方法であって、
前記情報表示装置は、
コンテンツ識別情報に対する参照データを含むリンクデータを記憶する蓄積部と、
情報を表示又は処理を実行する処理部と、
を備え、
前記処理部は、
コンテンツの放送時刻又は透かしデータの埋込時刻とコンテンツ識別情報を含む透かしデータが埋め込まれた放送信号又は録音信号を再生した音声を入力し、前記透かしデータを検出し、
前記透かしデータに含まれる放送時刻又は埋込時刻と、内部時計により求めた放送信号を受信した時刻又は前記透かしデータを検出した時刻である検出時刻とを比較し、
放送時刻又は埋込時刻と検出時刻との差分が予め設定された第１の閾値以下である場合、前記蓄積部を参照し、コンテンツ識別情報に基づき参照データを求め、該参照データに従い情報を表示する又は該参照データに従い特定された特定処理をする第１の処理を実行し、
一方、放送時刻又は埋込時刻と検出時刻との差分が前記第１の閾値を超える場合、表示及び特定処理をしない、又は、前記第１の処理と異なる表示又は特定処理をする第２の処理を実行すること
を特徴とする情報表示方法。
【請求項２１】
情報表示装置における情報表示プログラムであって、
前記情報表示装置は、
コンテンツ識別情報に対する参照データを含むリンクデータを記憶する蓄積部と、
情報を表示又は処理を実行する処理部と、
を備え、
前記処理部が、コンテンツの放送時刻又は透かしデータの埋込時刻とコンテンツ識別情報を含む透かしデータが埋め込まれた放送信号又は録音信号を再生した音声を入力し、前記透かしデータを検出する手順と、
前記処理部が、前記透かしデータに含まれる放送時刻又は埋込時刻と、内部時計により求めた放送信号を受信した時刻又は前記透かしデータを検出した時刻である検出時刻とを比較する手順と、
放送時刻又は埋込時刻と検出時刻との差分が予め設定された第１の閾値以下である場合、前記処理部が、前記蓄積部を参照し、コンテンツ識別情報に基づき参照データを求め、該参照データに従い情報を表示する又は該参照データに従い特定された特定処理をする第１の処理を実行する手順と、
一方、放送時刻又は埋込時刻と検出時刻との差分が前記第１の閾値を超える場合、前記処理部が、表示及び特定処理をしない、又は、前記第１の処理と異なる表示又は特定処理をする第２の処理を実行する手順と
をコンピュータに実行させるための情報表示プログラム。
【発明の詳細な説明】
【技術分野】
【０００１】
本発明は、情報表示装置及びシステム及び方法及びプログラムに係り、特に、透かしを利用したセカンドスクリーン等の情報の表示、情報への誘導、又は各種処理等を行うことができる情報表示装置及びシステム及び方法及びプログラムに関する。
【背景技術】
【０００２】
近年、地上デジタル放送に加え、ＢＳデジタル放送やＣＳ専門チャンネル放送などの普及、さらに新たな放送サービスの出現など、今後ますます放送サービスの多様化が進むものと思われる。
特許文献１には、「コンテンツ配信制御サーバ１０は、・・・（中略）・・・映像放送を受信し、受信した映像放送に埋め込まれたマーカ情報を検知し、検知したマーカ情報に対応付けられたコンテンツ配信シナリオを取得し、取得したコンテンツ配信シナリオの配信タイミングに基づいて、ログイン情報ＤＢ５１に記憶されたユーザ端末２１に、コンテンツを受信するための同期イベント要求を送信する」（要約）ようにしたコンテンツ配信制御サーバ、システム方法及びプログラムについて記載されている。
【先行技術文献】
【特許文献】
【０００３】
【特許文献１】特開２０１２−２０８６５４号公報
【発明の概要】
【発明が解決しようとする課題】
【０００４】
昨今の放送サービスの多様化が進められる環境下で、透かしを利用したセカンドスクリーン等の情報の表示、情報への誘導等を行うシステムの構築が期待されつつある。
このような情報の表示等を行う際、放送音声を受信したタイミングで、サーバに各種情報を取得するために問い合わせると、同時アクセスでサーバに負担がかかるという課題がある。
【０００５】
本発明は、以上の点に鑑み、放送音声又は再生音声に含まれる透かし情報を用いて、ユーザによる放送コンテンツ又は再生コンテンツの視聴状況に応じて、サーバに負荷をかけずにスマートフォン等の端末に各種情報を表示すること、各種情報へ誘導すること、又は、各種処理を実行することを目的とする。
【課題を解決するための手段】
【０００６】
本発明の第１の解決手段によると、
コンテンツ識別情報に対する参照データを含むリンクデータを記憶する蓄積部と、
情報を表示又は処理を実行する処理部と、
を備え、
前記処理部は、
コンテンツの放送時刻又は透かしデータの埋込時刻とコンテンツ識別情報を含む透かしデータが埋め込まれた放送信号又は録音信号を再生した音声を入力し、前記透かしデータを検出し、
前記透かしデータに含まれる放送時刻又は埋込時刻と、内部時計により求めた放送信号を受信した時刻又は前記透かしデータを検出した時刻である検出時刻とを比較し、
放送時刻又は埋込時刻と検出時刻との差分が予め設定された第１の閾値以下である場合、前記蓄積部を参照し、コンテンツ識別情報に基づき参照データを求め、該参照データに従い情報を表示する又は該参照データに従い特定された特定処理をする第１の処理を実行し、
一方、放送時刻又は埋込時刻と検出時刻との差分が前記第１の閾値を超える場合、表示及び特定処理をしない、又は、前記第１の処理と異なる表示又は特定処理をする第２の処理を実行すること
を特徴とする情報表示装置が提供される。
【０００７】
本発明の第２の解決手段によると、
情報表示システムであって、
コンテンツ識別情報に対する参照データを含むリンクデータを予め記憶したリンクサーバ記憶部を有するリンクサーバと、
コンテンツ識別情報に対する参照データを含むリンクデータを記憶する蓄積部と、情報を表示又は処理を実行する処理部とを有する端末と
を備え、
前記リンクサーバは、
前記端末からの要求により、又は、予め設定されたタイミング又は期間又は時刻で、前記端末に、前記リンクサーバ記憶部に記憶されたリンクデータを送信し、
前記端末の前記処理部は、前記リンクサーバから受信した前記リンクデータを、前記蓄積部に記憶し、
前記端末の前記処理部は、
コンテンツの放送時刻又は透かしデータの埋込時刻とコンテンツ識別情報を含む透かしデータが埋め込まれた放送信号又は録音信号を再生した音声を入力し、前記透かしデータを検出し、
前記透かしデータに含まれる放送時刻又は埋込時刻と、内部時計により求めた放送信号を受信した時刻又は前記透かしデータを検出した時刻である検出時刻とを比較し、
放送時刻又は埋込時刻と検出時刻との差分が予め設定された第１の閾値以下である場合、前記蓄積部を参照し、コンテンツ識別情報に基づき参照データを求め、該参照データに従い情報を表示する又は該参照データに従い特定された特定処理をする第１の処理を実行し、
一方、放送時刻又は埋込時刻と検出時刻との差分が前記第１の閾値を超える場合、表示及び特定処理をしない、又は、前記第１の処理と異なる表示又は特定処理をする第２の処理を実行すること
を特徴とする情報表示システムが提供される。
【０００８】
本発明の第３の解決手段によると、
情報表示装置における情報表示方法であって、
前記情報表示装置は、
コンテンツ識別情報に対する参照データを含むリンクデータを記憶する蓄積部と、
情報を表示又は処理を実行する処理部と、
を備え、
前記処理部は、
コンテンツの放送時刻又は透かしデータの埋込時刻とコンテンツ識別情報を含む透かしデータが埋め込まれた放送信号又は録音信号を再生した音声を入力し、前記透かしデータを検出し、
前記透かしデータに含まれる放送時刻又は埋込時刻と、内部時計により求めた放送信号を受信した時刻又は前記透かしデータを検出した時刻である検出時刻とを比較し、
放送時刻又は埋込時刻と検出時刻との差分が予め設定された第１の閾値以下である場合、前記蓄積部を参照し、コンテンツ識別情報に基づき参照データを求め、該参照データに従い情報を表示する又は該参照データに従い特定された特定処理をする第１の処理を実行し、
一方、放送時刻又は埋込時刻と検出時刻との差分が前記第１の閾値を超える場合、表示及び特定処理をしない、又は、前記第１の処理と異なる表示又は特定処理をする第２の処理を実行すること
を特徴とする情報表示方法が提供される。
【０００９】
本発明の第４の解決手段によると、
情報表示装置における情報表示プログラムであって、
前記情報表示装置は、
コンテンツ識別情報に対する参照データを含むリンクデータを記憶する蓄積部と、
情報を表示又は処理を実行する処理部と、
を備え、
前記処理部が、コンテンツの放送時刻又は透かしデータの埋込時刻とコンテンツ識別情報を含む透かしデータが埋め込まれた放送信号又は録音信号を再生した音声を入力し、前記透かしデータを検出する手順と、
前記処理部が、前記透かしデータに含まれる放送時刻又は埋込時刻と、内部時計により求めた放送信号を受信した時刻又は前記透かしデータを検出した時刻である検出時刻とを比較する手順と、
放送時刻又は埋込時刻と検出時刻との差分が予め設定された第１の閾値以下である場合、前記処理部が、前記蓄積部を参照し、コンテンツ識別情報に基づき参照データを求め、該参照データに従い情報を表示する又は該参照データに従い特定された特定処理をする第１の処理を実行する手順と、
一方、放送時刻又は埋込時刻と検出時刻との差分が前記第１の閾値を超える場合、前記処理部が、表示及び特定処理をしない、又は、前記第１の処理と異なる表示又は特定処理をする第２の処理を実行する手順と
をコンピュータに実行させるための情報表示プログラムが提供される。
【発明の効果】
【００１０】
本発明によると、放送音声又は再生音声に含まれる透かし情報を用いて、ユーザによる放送コンテンツ又は再生コンテンツの視聴状況に応じて、サーバに負荷をかけずにスマートフォン等の端末に各種情報を表示すること、各種情報へ誘導すること、又は、各種処理を実行することができる。
【図面の簡単な説明】
【００１１】
【図１】情報表示システムの構成図である。
【図２】放送局１の構成図である。
【図３】受像機／録画再生機２の構成図である。
【図４】端末３の構成図である。
【図５】リンクサーバ４の構成図である。
【図６】透かしデータテーブルについての説明図である。
【図７】リンクテーブルについての説明図である。
【図８】透かしデータのペイロードのフォーマットである。
【図９】リンクテーブル取得シーケンスである。
【図１０】情報表示処理フローチャート（その１）である。
【図１１】透かしデータテーブルについての説明図である。
【図１２】再生機２ａの構成図である。
【図１３】情報表示処理フローチャート（その２）である。
【図１４】リンクテーブルについての説明図である。
【発明を実施するための形態】
【００１２】
Ａ．第１の実施の形態
１．システム・装置
図１は、情報表示システムの構成図である。
情報表示システムは、放送局１、受像機／録画再生機２、端末３、リンクサーバ４、サーバ５を備える。放送局１は、受像機／録画再生機２に対し、放送波等を送信する。受像機／録画再生機２は、例えば、放送局１から放送波等を受信し、放送コンテンツを再生する。端末３は、例えば、受信機／録画再生機２が再生した放送音声を受信し、各種情報を表示、各種情報へ誘導、又は、各種処理を実行する。リンクサーバ４は、後述するようなリンクデータ等を端末３へ送信する。サーバ５は、端末３がＵＲＬ等でホームページ等の各種情報にアクセスすると、端末３に情報を表示する。
【００１３】
図２は、放送局１の構成図である。
放送局１は、例えば、不特定多数の受け手を対象に素材・コンテンツをテレビ、パソコン、ラジオ、携帯機器等に放送・配信・報道するような装置・システム・機関・組織・主体などを指す。また、テレビ、パソコン、ラジオ、携帯機器等の様々なコンテンツ・素材を放送・配信する放送局にも適用することができる。「放送」とは、テレビ放送、ラジオ放送、地上波・衛星放送、ケーブル放送、屋外放送、屋外広告、館内放送、店内放送等の様々な放送を含むことができる。放送局１は、透かし重畳部１１を備える。透かし重畳部１１は、放送信号・放送波に、後述するように、透かしデータを重畳する。
【００１４】
図３は、受像機／録画再生機２の構成図である。
受像機／録画再生機２は、放送コンテンツを受信及び再生する受像機（受信機）、又は、放送コンテンツを録画及び再生する録画再生機である。なお、受像機／録画再生機２は、ＤＶＤ、ブルーレイ等を再生する再生機としてもよい。受像機／録画再生機２は、受像機（受信機）と再生機の両機能を備えた装置でもよいし、さらに録画機能を備えてもよい。受像機／録画再生機２は、音声再生部２１を備える。受像機／録画再生機２は、例えば、テレビ、パソコン、屋内又は屋外放送システム、ワンセグ端末、スマートフォン、セットトップボックス、電話機、案内システム、玩具、遊具等のように、スピーカーを持ち、音を発する装置を用いることができる。
【００１５】
図４は、端末３の構成図である。
端末３は、処理部（ＣＰＵ）３１、内部時計３２、音声ＩＦ部３３、蓄積部３４、通信部３５、表示部３６、入力部３７を備える。蓄積部４３は、透かしデータテーブル６、リンクテーブル７を含む。端末３は、例えば、モバイル端末（携帯端末）、スマートフォン、パソコン、タブレット等の各種端末を用いることができる。
【００１６】
図５は、リンクサーバ４の構成図である。
リンクサーバ４は、通信部４１、処理部４２、リンクサーバ蓄積部４３を備える。リンクサーバ蓄積部は、リンクテーブル８を含む。リンクテーブル８のフォーマットはリンクテーブル７と同様である。
【００１７】
図６は、蓄積部３４内の透かしデータテーブル６についての説明図である。
透かしデータテーブル６は、放送コンテンツの識別情報であるコンテンツＩＤ６１、放送コンテンツの放送時刻６２、放送コンテンツを端末３が受信（検出）した時刻である検出時刻６３を対応して記憶する。
【００１８】
図７は、蓄積部３４内のリンクテーブル７、及び、リンクサーバ蓄積部４３内のリンクテーブル８の説明図である。
リンクテーブル７、８は、コンテンツＩＤ７１、８１に対して参照データ７２、８２を含むリンクデータを記憶する。参照データとしては、例えば、ＵＲＬ等の各種情報の表示・誘導のためのデータ、ツイッターやメール等の各種ソフトウェア立上げ、又は、各種アプリケーション起動用のコマンド、各種ソフトウェア処理の実行のためのデータ等、適宜設定することができる。また、参照データは、放送コンテンツ又は再生コンテンツの出演者・キャラクター・スポンサー・番組・ＣＭ等に関するＵＲＬ等としてもよい。
【００１９】
図８は、透かし入り放送音声に含まれる透かしデータのペイロード（透かしペイロード）９のフォーマットである。
透かしペイロード９は、放送コンテンツの識別情報（コンテンツＩＤ等のコンテンツ識別情報）９１と、そのコンテンツの放送時刻９２とを含む。コンテンツＩＤ９１及び放送時刻９２は、透かしデータテーブル６のコンテンツＩＤ６１及び放送時刻６２にそれぞれ対応する。
【００２０】
２．動作
図９は、リンクテーブル取得シーケンスである。
まず、リンクサーバ４の、リンクテーブル８に、コンテンツＩＤ８１に対して参照データ８２を予め設定する（Ｓ１０１）。リンクテーブル８は、保守者等により設定してもよいし、デフォルト等により予め設定されていてもよい。
ユーザによる操作により、又は、予め定められたタイミング・期間等で自動により、端末３において、アプリケーションが起動されると（Ｓ１０２）、処理部３１は、リンクサーバ４に対しリンクテーブル８の情報取得要求を送信する（Ｓ１０３）。リンクサーバ４は、端末３からリンクテーブル８の情報取得要求を受信すると（Ｓ１０４）、処理部４２は、リンクサーバ蓄積部４３にあるリンクテーブル８の情報を含む応答を作成し、それを端末３に対し送信する（Ｓ１０５）。端末３は、リンクサーバ４からリンクテーブル８の情報を含む応答を受信すると、処理部３１は、その情報を蓄積部３４内のリンクテーブル７に保存する（Ｓ１０７）。なお、リンクサーバ４は、端末３からの要求無しで、予め定められたタイミング又は期間又は時刻等で自動にリンクテーブル８の情報を端末３に送信してもよい。
【００２１】
図１０は、端末３による情報表示処理フローチャートである。
端末３において、処理が開始されると、処理部３１は、音声ＩＦ部３３により、受像機／録画再生機２から透かし入り放送音声を受信する（Ｓ２０１）。処理部３１は、受信した放送音声から透かしデータを検出し、透かしペイロード９に含まれるコンテンツＩＤ９１及び放送時刻９２を、蓄積部３４内の透かしデータテーブル６のコンテンツＩＤ６１及び放送時刻６２にそれぞれに記憶する。また、処理部３１は、透かし入り放送音声の検出時刻（又は、収音時刻）を内部時計３２により求め、その求めた時刻を透かしデータテーブル６の検出時刻６３に記憶する（Ｓ２０３）。処理部３１は、ステップＳ２０１及びＳ２０３の処理を、一定時間毎又は予め定められた所定タイミング・期間・時刻や透かしペイロード９を検出したとき等、適宜のタイミングで繰り返し実行することができる。
処理部３１は、透かしデータテーブル６を参照し、検出時刻６３と放送時刻６２との差分が予め定められた値（例えば、Ｔｔｈ）以下であるか判別する。差分がＴｔｈより大きい場合（Ｓ２０５、Ｎｏ）、処理部３１は、処理Ａを実施する（Ｓ２０７）。一方、差分がＴｔｈ以下の場合（Ｓ２０５、Ｙｅｓ）、処理部３１は、処理Ｂを実施する（Ｓ２０９）。
処理部３１は、処理Ａまたは処理Ｂを実施した後、透かし入り放送音声の受信が終了した場合（Ｓ２１１、Ｙｅｓ）、処理は、終了する。一方、透かし入り放送音声の受信が終了していない場合（Ｓ２１１、Ｎｏ）、処理は、ステップＳ２０１へ戻る。
【００２２】
以下に、処理Ａ及び処理Ｂについて説明する。処理Ａと判別された視聴形態は、例えば、タイムシフト視聴が想定され、処理Ｂと判別された視聴形態は、例えば、リアルタイム視聴が想定される。
【００２３】
「処理Ａ」としては、例えば、処理部３１は、何も実行しない。他にも、「処理Ａ」としては、処理部３１は、例えば、以下のうちひとつ又は複数の処理を実行してもよい。
・  コンテンツＩＤに基づき予め設定された又は任意に予め設定された、タイムシフト視聴用ＵＲＬ等のページの表示  （なお、各ＵＲＬ等のページは、放送局、時間帯、日時、場所等のいずれか又は複数により適宜設定することができる。）
・（参照データがＵＲＬ等の場合）  端末３内のリンクテーブル７を参照し、そこに保持した、コンテンツＩＤに対応するＵＲＬ等のページの表示・誘導
・（参照データがコマンド又はアプリケーション識別情報等の場合）  端末３内のリンクテーブル７を参照し、そこに保持したコンテンツＩＤに対応するコマンド等による他のアプリケーションの起動
・  コンテンツＩＤに基づき予め設定された又は任意に予め設定された所定サーバにアクセスすること、又は、さらにそのサーバにあるアプリケーションの起動  （なお、各コマンド等は、放送局、時間帯、日時、場所等のいずれか又は複数により適宜設定することができる。）
・  コンテンツＩＤに基づき予め設定された又は任意に予め設定された、端末３内などで保持する得点などのポイント値の変更
・  コンテンツＩＤに基づき予め設定された又は任意に予め設定された、端末３内などの処理での状態・パラメータ等の変更
【００２４】
「処理Ｂ」としては、例えば、処理部３１は、「処理Ａ」と異なる以下のひとつ又は複数の処理を実行することができる。
・（参照データがＵＲＬ等の場合）  端末３内のリンクテーブル７を参照し、そこに保持した、コンテンツＩＤに対応するＵＲＬ等のページの表示・誘導
・  コンテンツＩＤに基づき予め設定された又は任意に予め設定されたリアルタイム視聴用ＵＲＬ等のページの表示  （なお、各ＵＲＬ等のページは、放送局、時間帯、日時、場所等のいずれか又は複数により適宜設定することができる。）
・（参照データがコマンド又はアプリケーション識別情報等の場合）  端末３内のリンクテーブル７を参照し、そこに保持した、コンテンツＩＤに対応するコマンド等による他のアプリケーションの起動
・  コンテンツＩＤに基づき予め設定された又は任意に予め設定された所定サーバにアクセスすること、又は、さらにそのサーバにあるアプリケーションの起動  （なお、各コマンド等は、放送局、時間帯、日時、場所等により適宜設定することができる。）
・  コンテンツＩＤに基づき予め設定された又は任意に予め設定された、端末３内などで保持する得点などのポイント値の変更
・  コンテンツＩＤに基づき予め設定された又は任意に予め設定された、端末３内などの処理での状態・パラメータ等の変更
【００２５】
なお、処理部３１は、参照データにより情報を表示すること又は特定の処理を実行することがなされた場合、ひとつ又は複数のコンテンツＩＤ及び／又は参照データをログとして、蓄積部３４に記憶し、予め設定されたタイミング又は期間又は時刻で、予め定められたログ収集サーバにログを送信し、ログ収集サーバの記憶部にログを記憶させ、表示部に表示させる又は出力部に出力させるようにしてもよい。
また、処理部３１は、コンテンツＩＤ及び／又は参照データを、表示部３６に表示させる又は適宜の出力部に出力させるようにしてもよい。
なお、放送時刻、検出時刻等の時刻は、日時としてもよい。
【００２６】
Ｂ．第２の実施の形態
図１１は、透かしデータテーブルについての説明図である。
透かしデータテーブル６’は、図６に示した透かしデータテーブル６の放送時刻の代わりに、透かしデータを埋め込んだ又は予め設定された規則・手順等で埋め込まれた埋込時刻を用いるものである。
このように、第１の実施の形態において、放送時刻９２の代わりに、透かしデータを埋め込んだ時刻（埋込時刻）６２’を用いてもよい。
【００２７】
図１２は、再生機２ａの構成図である。
また、第１の実施の形態では、例えば、放送局１はあらかじめ透かしデータ入りで作成されたコンテンツを放送する。これに対して、透かしデータ入り放送音声の再生が放送局１と受像機／録画再生機２の組み合わせではなく、図１２のような、再生機２ａに透かしデータ入りコンテンツが搬入され、音声再生部２ａ１により、再生コンテンツの録音信号が再生される形態をとってもよい。このとき、透かしデータテーブルは、図６に示したように放送時刻６２を用いてもよいし、その代わりに、図１１に示したように埋込時刻６２’を用いてもよい。
【００２８】
Ｃ．第３の実施の形態
図１３は、端末３による情報表示処理フローチャートである。
図１０の情報表示処理フローチャートは、ステップＳ２０５の条件判定について、図１３に記載のような多段で接続され、処理Ｃ、処理Ｄ・・・へと分岐されてもよい。
具体例としては、例えば、放送時刻６２が透かし埋め込み時刻として設定されていて、店内放送等による放送で、端末３における検出時刻６３と該放送時刻６２との差分の算出により、同日と判定されるとき、または、翌日、または翌々日と判定されるとき等、各々において表示するＵＲＬ等の参照データのページを変えることを行うことができる。
処理Ｃ、処理Ｄ・・・の各処理は、「処理Ａ」又は「処理Ｂ」について上述した処理項目のうちのいずれかであり、また、各処理Ａ、Ｂ、Ｃ、Ｄ、・・・は、それぞれ異なる処理項目とすることができる。なお、多段の処理の段数は適宜定めることができる
また、図１０または図１３の条件判定のための値Ｔｔｈ、Ｔｔｈ−ａ、Ｔｔｈ−ｂ、・・・は、プログラム更新などで、書き換えることができてもよい。
第３の実施の形態は、第１の実施の形態又は第２の実施の形態と組合わせることができる。
【００２９】
Ｄ．第４の実施の形態
図１４は、リンクテーブルについての説明図である。
図示のようにリンクテーブル７’、８’は、コンテンツＩＤ及び参照データに対応してさらに各処理の識別情報（処理ＩＤ等の処理識別情報）７３’、８３’を含む。
処理部は、図１０、図１３中の、ステップ２０７、２０７−１、２０７−２、２０９において、このリンクテーブル７’、８’を参照して、コンテンツＩＤと各処理に応じて参照データを求め、参照データによる表示又は特定処理を実行する。
第４の実施の形態は、第１の実施の形態又は第２の実施の形態と組合わせることができる。さらに、第３の実施の形態と組合わせてもよい。
【００３０】
Ｅ．実施の形態の効果
本実施の形態によると、端末がアプリケーション起動時又は適宜のタイミング・期間・時刻等でリンクテーブルを取得及び蓄積する為、端末が多数であっても、リンクサーバは、各端末に対し、それぞれ異なるタイミング・期間等で、リンクテーブルに含まれるリンクデータを送信することができる。そして、端末は、受信リンクデータを蓄積したリンクテーブルにより、情報表示処理フローチャートをリンクサーバと独立に実行することができる。これにより、例えば、放送等のような一斉同報によるタイミングで端末がリンクサーバにアクセスして、リンクサーバが情報表示処理を実行する場合と対比し、リンクサーバの負荷を低減又は分散させることができる。
【００３１】
本発明又は本実施の形態を「店内放送」に活用する場合、例えば、全国チェーンを展開しているハンバーガーショップ等の店内放送音声にコンテンツＩＤを含む透かしをエンコードし、来店者に自らが保有する端末を利用させ、放送音声に含まれる透かしをデコードし、電子クーポンを発行する特定のサイトに誘導することができる。
【産業上の利用可能性】
【００３２】
本発明の情報表示装置及びシステム及び方法及びプログラムは、その各手順をコンピュータに実行させるための情報表示プログラム、情報表示プログラムを記録したコンピュータ読み取り可能な記録媒体、情報表示プログラムを含みコンピュータの内部メモリにロード可能なプログラム製品、そのプログラムを含むサーバ等のコンピュータ等により提供されることができる。
【符号の説明】
【００３３】
１  放送局
２  受像機／録画再生機
３  端末
４  リンクサーバ
５  サーバ
６  透かしデータテーブル
７  リンクテーブル
８  リンクテーブル
９  透かしペイロード
１１  透かし重畳部
２１  音声再生部
３１  処理部（ＣＰＵ）
３２  内部時計
３３  音声ＩＦ部
３４  蓄積部
３５  通信部
３６  表示部
３７  入力部
４１  通信部
４２  処理部
４３  リンクサーバ蓄積部
６１  コンテンツＩＤ
６２  放送時刻
６３  検出時刻
７１  コンテンツＩＤ
７２  参照データ
９１  コンテンツＩＤ
９２  放送時刻
【図１】
2014157472.tif 000003
【図２】
2014157472.tif 000004
【図３】
2014157472.tif 000005
【図４】
2014157472.tif 000006
【図５】
2014157472.tif 000007
【図６】
2014157472.tif 000008
【図７】
2014157472.tif 000009
【図８】
2014157472.tif 000010
【図９】
2014157472.tif 000011
【図１０】
2014157472.tif 000012
【図１１】
2014157472.tif 000013
【図１２】
2014157472.tif 000014
【図１３】
2014157472.tif 000015
【図１４】
2014157472.tif 000016